(57)【要約】【課題】芯繰出ユニットの出没操作と芯繰出ユニットからの筆記芯の送り出し操作（ノック操作）とを単一の操作体によって行い得るシャープペンシルを提供すること。【解決手段】シャープペンシル１００は、軸筒１０と、軸筒１０内に支持された芯繰出ユニット２０と、出没操作のための操作体４０、５０、７０と、操作体４０、５０、７０に対して芯繰出ユニット２０を後方から付勢する６２と、を備えている。操作体４０を軸筒１０に対し前方に所定位置Ｘまで押し込むと、芯繰出ユニット２０が軸筒１０によって相対的に前方の筆記状態と相対的に後方の非筆記状態とに交互に保持される。芯繰出ユニット２０は、軸筒１０に対し軸線方向ｄａに相対移動可能なチャック支持ユニット２７と、筆記芯２１を前方に送り出し可能に保持する、チャックユニット２８と、を有する。弾性体６２は、操作体４０に対してチャック支持ユニット２７を後方から付勢する。【選択図】図１
2019188772.tif 000002
【特許請求の範囲】
【請求項１】
軸筒と、
前記軸筒の軸線方向に相対移動可能に前記軸筒内に支持され、筆記芯を保持する芯繰出ユニットと、
前記軸筒から露出し、当該軸筒に対しその軸線方向に相対移動可能な操作体と、
前記操作体に対して前記芯繰出ユニットを後方から付勢する弾性体と、を備え、
前記操作体を前記軸筒に対し前方に所定位置まで押し込むと、前記芯繰出ユニットが前記軸筒によって相対的に前方の筆記状態と相対的に後方の非筆記状態とに交互に保持され、
前記芯繰出ユニットは、前記軸筒に対し前記軸線方向に相対移動可能なチャック支持ユニットと、前記チャック支持ユニットに対し前記軸線方向に相対移動可能に当該チャック支持ユニットに支持され、前記筆記芯を前方に送り出し可能に保持する、チャックユニットと、を有し、
前記弾性体は、前記筆記状態において前記操作体に対して前記チャックユニットを後方から付勢する、シャープペンシル。
【請求項２】
前記チャックユニットは、前記筆記芯を収納する芯パイプを有し、
前記弾性体は、前記操作体と前記芯パイプとの間に配置されている、請求項１に記載のシャープペンシル。
【請求項３】
前記芯繰出ユニットは、前記チャック支持ユニットに対し前記チャックユニットを所定の付勢力で後方に付勢するリターンスプリングを更に有し、
前記弾性体は、前記操作体が前記軸筒に対して所定量を超えて前方に押し込まれることにより、前記所定の付勢力を上回る付勢力で前記チャックユニットを後方から付勢する、請求項１または２に記載のシャープペンシル。
【請求項４】
前記操作体は、
前記軸筒に対し前記軸線方向に相対移動するスライドカムと、
前記軸筒の内部に配置され、前記軸筒に対し、前記軸線方向に相対移動可能で前記軸線周りに相対回転可能な、カムフォロアと、
前記軸筒の内部に前記カムフォロアの前方に配置され、前記軸筒に対し前記軸線方向に相対移動可能な、移動体と、
前記移動体に対し前記チャック支持ユニットを前方に付勢する付勢手段と、を更に備え、
前記操作体は、前記カムフォロア、前記移動体及び前記付勢手段を介して前記チャック支持ユニットを後方から押圧可能である、請求項１〜３のいずれか一項に記載のシャープペンシル。
【請求項５】
前記軸筒に対し前記移動体を後方に付勢する第２付勢手段を更に備え、
前記筆記状態において、前記第２付勢手段の初動荷重は、前記弾性体の初動荷重よりも大きい、請求項４に記載のシャープペンシル。
【請求項６】
前記芯繰出ユニットの前方に支持され、当該芯繰出ユニットに保持された前記筆記芯が通過可能な開口部を有する口金と、
前記芯繰出ユニットと前記口金との間に圧縮状態で配置された弾性体と、を更に備え、
前記芯繰出ユニットが前記筆記状態にあるとき、前記口金は、前記軸筒を後方から押圧する、請求項１〜５のいずれか一項に記載のシャープペンシル。
【請求項７】
筆圧の前記軸筒の径方向成分によって、前記軸筒が前記芯繰出ユニットを当該軸筒に対し後方に相対移動させる、請求項６に記載のシャープペンシル。
【発明の詳細な説明】
【技術分野】
【０００１】
本発明は、ノック操作等により筆記芯を所定量だけ口金の前端から繰り出すことにより筆記が可能なシャープペンシルに関する。
【背景技術】
【０００２】
軸筒の後端から後方に突出した操作体を軸筒に対し前方に押し込むことにより、筆記芯を保持する芯繰出ユニットを、その前端に取り付けられた口金が軸筒の前端から突出した筆記状態と、口金が軸筒内に没入した非筆記状態と、に交互に切替可能なシャープペンシルが知られている。このような出没式のシャープペンシルは、例えば下記特許文献１に記載されている。
【０００３】
ところで、本件出願人は、例えば下記特許文献２において、筆圧によって口金の前端から露出される筆記芯の長さが減少するシャープペンシルを提案している。このシャープペンシルでは、芯繰出ユニットが伸縮可能な弾性体（コイルバネ）によって軸筒に対し後方から付勢されている。より具体的には、芯繰出ユニットが、軸筒に対し前後方向に相対移動可能なチャック支持ユニットと、チャック支持ユニットに対し前後方向に相対移動可能にチャック支持ユニットに支持されたチャックユニットと、を有している。そして、チャック支持ユニットと軸筒との間に伸縮可能な弾性体が圧縮状態で配置されている。
【０００４】
特許文献２に記載されたタイプのシャープペンシルを出没式に構成するためには、特許文献１に記載された構成をそのまま特許文献２のシャープペンシルに適用することができない。すなわち、特許文献１の出没式のシャープペンシルでは、通常、芯繰出ユニットが筆記状態にあるとき、当該芯繰出ユニットの前端が軸筒から僅かに離間している。これは、芯繰出ユニットの状態（筆記状態か非筆記状態か）を切り替えるためにカム機構が採用されるが、非筆記状態から筆記状態への切り替え操作の終了間際に、軸筒に関連付けられたカムに対して芯繰出ユニットに関連付けられたカムフォロアが軸筒の後方に向けて僅かに落とし込まれるためである。この落とし込みを実現するため、チャックユニットの後端（例えば、筆記芯を収納する芯パイプの後端）と操作体との間には、一定の間隙が設けられている必要がある。
【０００５】
このため、単一の操作体によって、芯繰出ユニットの出没操作と芯繰出ユニットからの筆記芯の送り出し操作（ノック操作）とを両立させようとすると、前述した隙間の存在によって、筆記芯の送り出し操作を良好に行うことができないという問題が生じる。
【先行技術文献】
【特許文献】
【０００６】
【特許文献１】特開２００９−２０８４２４号公報
【特許文献２】特開２０１７−０１３２８６号公報
【発明の概要】
【発明が解決しようとする課題】
【０００７】
本発明は、以上の問題に鑑みて創案されたものである。すなわち、本発明の目的は、芯繰出ユニットの出没操作と芯繰出ユニットからの筆記芯の送り出し操作（ノック操作）とを単一の操作体によって行い得るシャープペンシルを提供することである。
【課題を解決するための手段】
【０００８】
本発明は、軸筒と、
前記軸筒の軸線方向に相対移動可能に前記軸筒内に支持され、筆記芯を保持する芯繰出ユニットと、
前記軸筒から露出し、当該軸筒に対しその軸線方向に相対移動可能な操作体と、
前記操作体に対して前記芯繰出ユニットを後方から付勢する弾性体と、を備え、
前記操作体を前記軸筒に対し前方に所定位置まで押し込むと、前記芯繰出ユニットが前記軸筒によって相対的に前方の筆記状態と相対的に後方の非筆記状態とに交互に保持され、
前記芯繰出ユニットは、前記軸筒に対し前記軸線方向に相対移動可能なチャック支持ユニットと、前記チャック支持ユニットに対し前記軸線方向に相対移動可能に当該チャック支持ユニットに支持され、前記筆記芯を前方に送り出し可能に保持する、チャックユニットと、を有し、
前記弾性体は、前記筆記状態において前記操作体に対して前記チャックユニットを後方から付勢する、シャープペンシルである。
【０００９】
前記チャックユニットは、前記筆記芯を収納する芯パイプを有し、
前記弾性体は、前記操作体と前記芯パイプとの間に配置されていて良い。
【００１０】
前記芯繰出ユニットは、前記チャック支持ユニットに対し前記チャックユニットを所定の付勢力で後方に付勢するリターンスプリングを更に有し、
前記弾性体は、前記操作体が前記軸筒に対して所定量を超えて前方に押し込まれることにより、前記所定の付勢力を上回る付勢力で前記チャックユニットを後方から付勢して良い。
【００１１】
以上のシャープペンシルにおいて、前記操作体は、
前記軸筒に対し前記軸線方向に相対移動するスライドカムと、
前記軸筒の内部に配置され、前記軸筒に対し、前記軸線方向に相対移動可能で前記軸線周りに相対回転可能な、カムフォロアと、
前記軸筒の内部に前記カムフォロアの前方に配置され、前記軸筒に対し前記軸線方向に相対移動可能な、移動体と、
前記移動体に対し前記チャック支持ユニットを前方に付勢する付勢手段と、を更に備え、
前記操作体は、前記カムフォロア、前記移動体及び前記付勢手段を介して前記チャック支持ユニットを後方から押圧可能であって良い。
【００１２】
この場合、前記軸筒に対し前記移動体を後方に付勢する第２付勢手段を更に備え、
前記筆記状態において、前記第２付勢手段の初動荷重は、前記弾性体の初動荷重よりも大きくて良い。
【００１３】
また、以上のシャープペンシルは、前記芯繰出ユニットの前方に支持され、当該芯繰出ユニットに保持された前記筆記芯が通過可能な開口部を有する口金と、
前記芯繰出ユニットと前記口金との間に圧縮状態で配置された弾性体と、を更に備え、
前記芯繰出ユニットが前記筆記状態にあるとき、前記口金は、前記軸筒を後方から押圧するようになっていて良い。
【００１４】
この場合、筆圧の前記軸筒の径方向成分によって、前記軸筒が前記芯繰出ユニットを当該軸筒に対し後方に相対移動させるようになっていて良い。
【発明の効果】
【００１５】
本発明によれば、芯繰出ユニットの出没操作と芯繰出ユニットからの筆記芯の送り出し操作（ノック操作）とを単一の操作体によって行い得るシャープペンシルを提供することができる。
【図面の簡単な説明】
【００１６】
【図１】芯繰出ユニットが筆記状態にあるときの、本発明の一実施の形態によるシャープペンシルを示す概略縦断面図である。
【図２】芯繰出ユニットが非筆記状態にあるときの、図１のシャープペンシルを示す概略縦断面図である。
【図３】図１のシャープペンシルの後筒を示す概略縦断面図である。
【図４】図１のシャープペンシルの操作体の押圧部を示す概略縦断面図である。
【図５】図１のシャープペンシルの操作体のカムフォロアを示す概略正面図である。
【図６】図１のシャープペンシルにおいて、芯繰出ユニットを非筆記状態から筆記状態に切り替える工程を説明するための図である。
【図７】図１のシャープペンシルにおいて、芯繰出ユニットを非筆記状態から筆記状態に切り替える工程を説明するための図である。
【図８】図１のシャープペンシルにおいて、芯繰出ユニット筆記芯を繰り出す工程を説明するための図である。
【図９Ａ】筆記時に筆記芯に強い筆圧が作用していないときの図１のシャープペンシルを示す概略縦断面図である。
【図９Ｂ】筆記時に筆記芯に強い筆圧が作用しているときの図１のシャープペンシルを示す概略縦断面図である。
【発明を実施するための形態】
【００１７】
以下に、添付の図面を参照して本発明の一実施の形態を詳細に説明する。
【００１８】
図１及び図２は、本発明の一実施の形態によるシャープペンシル１００を示す概略縦断面図である。図１は、芯繰出ユニット２０が筆記状態にあるときのシャープペンシル１００を示し、図２は、芯繰出ユニット２０が非筆記状態にあるときのシャープペンシル１００を示している。
【００１９】
図１及び図２に示すように、シャープペンシル１００は、軸筒１０と、軸筒１０から露出し、当該軸筒１０に対しその軸線方向ｄａに相対移動可能な筒状の操作体４０、５０、７０と、軸筒１０の軸線方向ｄａに相対移動可能に軸筒１０内に支持され、筆記芯２１を保持する芯繰出ユニット２０と、を備えている。図１及び図２に示すように、軸筒１０は、前筒１１と、前筒１１の後方に接続された後筒１２と、を有している。本実施の形態では、前筒１１と後筒１２とは螺着されている。また、操作体４０、５０、７０は、芯繰出ユニット２０の後方に配置されており、軸筒１０の後端の開口部から部分的に後方に突出している。
【００２０】
芯繰出ユニット２０は、操作体４０、５０、７０が軸筒１０に対し所定位置Ｘまで前方に押し込まれる（相対移動される）ことにより、軸筒１０によって相対的に前方の筆記状態（図１参照）と、相対的に後方の非筆記状態（図２参照）とに、交互に保持される（切り替えられる）ようになっている。本明細書において、軸筒１０に対する操作体４０、５０、７０の位置とは、軸筒１０に対する押圧部４０の前端（図１及び図２における左端）の位置を意味することとする。このような切り替えを実現するための構成について、図１及び図２に加え図３〜図５を参照して、以下説明する。
【００２１】
図３は、図１のシャープペンシル１００の後筒１２を示す概略縦断面図であり、図４は、図１のシャープペンシル１００の操作体の押圧部４０を示す概略縦断面図であり、図５は、図１のシャープペンシル１００の操作体のカムフォロア７０を示す概略正面図である。
【００２２】
図３に示すように、後筒１２は、内面に、後述するカムフォロア７０と協働して芯繰出ユニット２０を軸筒１０に対して位置決めするための被当接部１２ａを有している。本実施の形態の被当接部１２ａは、軸線方向ｄａに対して非平行で非直角の斜面であり、軸筒１０の内面に軸線方向ｄａに沿って延在する複数の内側リブ１２ｒの前端に形成されている。図３に示すように、複数の内側リブ１２ｒは、軸筒１０の内面の周方向に沿って所定の間隙ｇを空けて等間隔で形成されている。これらの間隙１２ｇの少なくとも１つにおいて、軸筒１０の内面には、カムフォロア規制部１２ｂと、このカムフォロア規制部１２ｂよりも後方に位置する操作体規制部１２ｃと、が設けられている。各規制部１２ｂ、１２ｃは、いずれも前方に面した当接面として形成されている。換言すれば、後筒１２は、カムフォロア規制部１２ｂよりも前方の領域、カムフォロア規制部１２ｂと操作体規制部１２ｃとで挟まれた領域、そして操作体規制部１２ｃよりも後方の領域、の順序で、次第に肉厚になるように構成されている。
【００２３】
次に、操作体の押圧部４０について、図４を参照して説明する。押圧部４０は、筒状のスライドカム４２と、このスライドカム４２の後端を覆うカバー４１と、を有している。図４に示すように、スライドカム４２は、前端（図４の左端）に、後述するカムフォロア７０の被押圧部７２ｐ（図５参照）を押圧する複数のカム側押圧部４２ｐを有している。カム側押圧部４２ｐは、前方に突出した突起として形成されている。また、図４に示すように、隣接する２つのカム側押圧部４２ｐの間には、後方に窪んだ谷部４２ｍが形成されている。スライドカム４２は、カム側押圧部４２ｐの軸線Ｌ周りの位相と、後筒１２の被当接部１２ａ間の間隙１２ｇ（図３参照）の軸線Ｌ周りの位相とが同じであり、谷部４２ｍの軸線Ｌ周りの位相と、被当接部１２ａの軸線Ｌ周りの位相とが同じになり得るように、構成されている。
【００２４】
スライドカム４２の前方の外周面には、複数の隆起部４２ｕが設けられている。スライドカム４２の周方向における各隆起部４２ｕの寸法（幅）は、後筒１２の隣接する内側リブ１２ｒ間の間隙１２ｇの幅ｇ（図３参照）より僅かに小さい。これらの隆起部４２ｕは、間隙１２ｇ内に位置付けられることにより、軸筒１０（後筒１２）に対する押圧部４０の軸線Ｌ周りの相対回転を規制するようになっている。また、隆起部４２ｕは、後筒１２の操作体規制部１２ｃと干渉する外径を有している。このため、隆起部４２ｕが間隙１２ｇ内に位置付けられることで、押圧部４０が軸筒１０に対して抜け止めの状態で配置されるようになっている。
【００２５】
次に、図５に示すように、本実施の形態のカムフォロア７０は、筒状のカムフォロア本体７１と、カムフォロア本体７１の後方の外面に一体的に形成された外側リブ７２と、を有している。本実施の形態による外側リブ７２は、軸筒１０の周方向に沿って４つ、等間隔で設けられている。各外側リブ７２の後端には、被押圧部７２ｐが設けられている。被押圧部７２ｐは、軸線方向ｄａに対し非平行で非直角の斜面を有している。この被押圧部７２ｐは、芯繰出ユニット２０が非筆記状態にあるとき、スライドカム４２のカム側押圧部４２ｐに前方から当接するようになっている。外側リブ７２の幅ｗは、後筒１２の隣接する内側リブ１２ｒ間の間隙１２ｇの幅ｇよりも僅かに小さい。
【００２６】
図１及び図２に戻って、シャープペンシル１００は、軸筒１０の内部に配置され、当該軸筒１０に対し前方に相対移動可能な移動体５０と、移動体５０に対し芯繰出ユニット２０を前方に付勢する第１付勢手段６０と、を更に備えている。芯繰出ユニット２０は、筆記状態にあるとき、第１付勢手段６０の付勢力によって軸筒１０を後方から押圧するようになっている。また、移動体５０は筒状であり、その後端がカムフォロア７０の前端に当接している。このことにより、移動体５０は、押圧部４０の軸筒１０に対する前方への相対移動によって、当該軸筒１０に対し前方に相対移動されるようになっている。更に、移動体５０は、内面に、芯繰出ユニット２０を筆記状態から非筆記状態にもたらすための膨出部５２を有している。この膨出部５２の作用については、後述する。
【００２７】
移動体５０の後端の外面には、当該移動体５０の径方向外方に延び出たフランジ部５１が形成されている。更に、軸筒１０の内面には、フランジ部５１に前方から対面した第１受け部１３が形成されている。そして、フランジ部５１と第１受け部１３との間に、第２付勢手段６１が圧縮状態で配置されている。図１及び図２に示すように、本実施の形態の受け部１３は、前筒１１の後端部により構成されている。このような構成により、押圧部４０は、カムフォロア７０、移動体５０及び第１付勢手段６０を介して、チャック支持ユニット２７を後方から押圧するようになっている。
【００２８】
本実施の形態の芯繰出ユニット２０は、前述した第１付勢手段６０により移動体５０に対し前方に付勢されたチャック支持ユニット２７と、チャック支持ユニット２７に対し軸線方向ｄａに相対移動可能に当該チャック支持ユニット２７に支持され、筆記芯２１を前方に送り出し可能に保持する、チャックユニット２８と、を有している。したがって、チャック支持ユニット２７は、芯繰出ユニット２０が筆記状態にあるとき、第１付勢手段６０を圧縮変形させながら、軸筒１０に対して後方に相対移動し得る。
【００２９】
更に、図１及び図２に示すように、チャックユニット２８は、移動体５０及びカムフォロア７０内を貫通して配置されている。更に、チャックユニット２８は、膨出部５２に後方から当接する当接部２９ｐを有している。図１及び図２に示すように、本実施の形態の当接部２９ｐは、移動体５０の膨出部５２よりも後方において、チャック２４の後方に連結されたコネクタ２９の外面に形成された隆起部である。当接部２９ｐの外径は、移動体５０の膨出部５２の内径よりも大きく形成されている。このため、チャックユニット２８の移動体５０に対する前方への相対移動は、当接部２９ｐが膨出部５２に後方から当接することによって規制されることになる。本実施の形態では、芯繰出ユニット２０が筆記状態にあるとき、膨出部５２と当接部２９ｐとが離間し、芯繰出ユニット２０が非筆記状態にあるとき、膨出部５２と当接部２９ｐとが当接するようになっている。
【００３０】
また、図１及び図２に示すように、チャックユニット２８は、コネクタ２９の後方に連結され、筆記芯２１を収納する、芯パイプ２３を有している。図示される例では、芯パイプ２３は、コネクタ２９の後方領域に内嵌されている。芯パイプ２３の後端と押圧部４０との間には、弾性体６２としてのコイルバネが配置されている。具体的には、押圧部４０の内周面のうち芯パイプ２３の後端よりも後方の位置に、軸線Ｌに向かって突出した縮径部４３（図４参照）が設けられており、この縮径部４３と芯パイプ２３の後端との間に、弾性体６２が伸縮可能に配置されている。本実施の形態の弾性体６２は、芯繰出ユニット２０が筆記状態にあるときに自然長であるように設定されている。
【００３１】
また、図１及び図２に示すように、シャープペンシル１００は、芯繰出ユニット２０の前方に支持された口金３０を更に有している。口金３０は、芯繰出ユニット２０に保持された筆記芯２１が通過可能な開口部３０ａを有している。芯繰出ユニット２０と口金３０との間には、弾性体としての口金用スプリング３３が圧縮状態で配置されている。口金３０は、筆記芯２１を案内するガイドパイプ３１と、このガイドパイプ３１よりも大径のスリーブ部３２と、を有している。スリーブ部３２は、前方の小径部３２ｃと後方の拡径部３２ｄとを有している。口金３０をチャック支持ユニット２７に抜け止め状態で保持するため、芯繰出ユニット２０は、筒状の保持部材２２を、更に有している。
【００３２】
保持部材２２は、口金３０の外周を取り囲んだ状態でチャック支持ユニット２７に固定されている。保持部材２２の前端は、内径が縮小された絞り部２２ｆを有している。絞り部２２ｆの外面には、前方に向かって先細りとなるテーパ部２２ｔが形成されている。絞り部２２ｆの前端の内径は、口金３０の小径部３２ｃの外径よりも大きいが拡径部３２ｄの外径よりも小さい。これにより、保持部材２２内に後方から挿入された口金３０の拡径部３２ｄが保持部材２２に対し絞り部２２ｆを超えて前方に相対移動することが禁止されている。
【００３３】
チャック支持ユニット２７は、前述した口金用スプリング３３の付勢力を受ける第２受け部２７ａを有している。この第２受け部２７ａは、口金３０の小径部３２ｃと拡径部３２ｄとの接続部分より後方に位置し、当該接続部分との間に口金用スプリング３３が伸縮可能に圧縮状態で配置されている。したがって、口金３０は、拡径部３２ｄが保持部材２２の絞り部２２ｆを押圧した状態でチャック支持ユニット２７の前方に配置されることになる。本実施の形態では、口金用スプリング３３の初動荷重は、第１付勢手段６０の初動荷重よりも小さく設定されている。この口金用スプリング３３の作用により、芯繰出ユニット２０が筆記状態にあるとき、口金３０は、軸筒１０を後方から押圧するようになっている。
【００３４】
また、チャック支持ユニット２７は、外筒２７ｐと、外筒２７ｐに支持され、チャックユニット２８に設けられたチャック２４を締める締めリング２５と、チャックユニット２８を外筒２７ｐに対し後方に付勢するリターンスプリング２６と、を有している。外筒２７ｐは、前方の内周面に縮径部２７ｓを有している。チャック２４は、この縮径部２７ｓにより画定された開口を軸線方向ｄａに貫通して配置され、外筒２７ｐに対して軸線方向ｄａに相対移動可能となっている。また、リターンスプリング２６は、外筒２７ｐの縮径部２７ｓとコネクタ２９との間に圧縮状態で配置されている。このような構成により、リターンスプリング２６は、外筒２７ｐに対してチャックユニット２８を後方に付勢している。チャックユニット２８がチャック支持ユニット２７に対し前方に相対移動させられていないときには、チャック２４は、前端領域が締めリング２５によって締められて、筆記芯２１を後退しないように挟持する。
【００３５】
軸筒１０（前筒１１）は、内周面に、保持部材２２のテーパ部２２ｔが後方から当接する押圧部１５と、口金３０の小径部３２ｃが後方から当接する軸筒側縮径部１６と、を有している。図１及び図２に示すように、本実施の形態の押圧部１５及び軸筒側縮径部１６は、いずれも軸筒１０の内面に形成された凸部である。また、軸筒１０は、保持部材２２に対応する領域の内径が、当該保持部材２２の外径よりも大きくなっており、軸筒１０に対する口金３０の径方向の相対移動が許容されている。
【００３６】
また、本実施の形態のカバー４１は、スライドカム４２の後端のホルダ部４２ｈに保持された消しゴム８０を覆うカバーとして構成されている。
【００３７】
次に、シャープペンシル１００の作用について図６及び図７を参照して説明する。
【００３８】
図６及び図７は、図１のシャープペンシルにおいて、芯繰出ユニット２０を非筆記状態から筆記状態に切り替える工程を説明するための図である。図６は、押圧部４０を軸筒１０に対して最も前方まで相対移動させた状態を示す概略縦断面図であり、図７は、図６の状態の後で、押圧部４０が初期位置へと復帰している状態を示す概略縦断面図である。なお、以下の説明では、口金３０が軸筒１０内に没入している図２の状態（非筆記状態）を初期状態とする。
【００３９】
紙面に対して筆記を行うに先立ち、必要に応じて、カバー４１及び消しゴム８０がホルダ部４２ｈから取り外され、筆記芯２１が芯パイプ２３内に投入される。その後、消しゴム８０及びカバー４１がホルダ部４２ｈに再び取り付けられる。そして、軸筒１０に対し押圧部４０を前方に押し込むことにより、次のようにして口金３０が軸筒１０の前端１１ａから繰り出される。すなわち、押圧部４０のスライドカム４２及び移動体５０が、第２付勢手段６１を圧縮させつつ軸筒１０に対し前方に相対移動する。この相対移動の際、スライドカム４２は、隆起部４２ｕが軸筒１０の内側リブ１２ｒ間の間隙１２ｇによってガイドされるため、軸筒１０に対し、軸線Ｌ周りに相対回転することなく前方に相対移動する。更に、カムフォロア７０の外側リブ７２も、間隙１２ｇによってガイドされるため、軸筒１０に対し、軸線Ｌ周りに相対回転することなく前方に相対移動する。
【００４０】
移動体５０が軸筒１０に対し前方に相対移動されると、第１付勢手段６０と共に、芯繰出ユニット２０及び口金３０が軸筒１０に対し前方に相対移動する。そして、この相対移動の過程で、まず口金３０の小径部３２ｃが軸筒側縮径部１６に当接し、口金３０の軸筒１０に対する前方への更なる相対移動（前進）が規制される。この状態から移動体５０が軸筒１０に対し更に前方に相対移動されると、口金用スプリング３３が圧縮されて保持部材２２の前端から前方に突出している小径部３２ｃの長さが減少する。やがて、保持部材２２のテーパ部２２ｔが軸筒１０の押圧部１５に後方から当接し、軸筒１０に対するチャック支持ユニット２７の前方への更なる相対移動と、保持部材２２に対する口金３０の後方への更なる相対移動と、の双方が規制される。そして、押圧部４０によって移動体５０が軸筒１０に対し更に前方に相対移動されると、第１付勢手段６０を圧縮させつつ、移動体５０が軸筒１０及び芯繰出ユニット２０に対し前方に相対移動する。この相対移動により、移動体５０の膨出部５２とチャックユニット２８の当接部２９ｐとが離反する。
【００４１】
そして、軸筒１０に対して押圧部４０が更に前方に押し込まれると、カムフォロア７０の外側リブ７２が内側リブ１２ｒ間の間隙１２ｇから前方に外れる。このことにより、カムフォロア７０は、軸筒１０に対しその軸線Ｌ周りに相対回転することが許容される。この結果、スライドカム４２のカム側押圧部４２ｐが外側リブ７２の被押圧部７２ｐを押圧している力により、カムフォロア７０が軸筒１０に対し軸線Ｌ周りに相対回転する。この相対回転は、カムフォロア７０の外側リブ７２がスライドカム４２の谷部４２ｍに位置付けられて停止する。これにより、カムフォロア７０の被押圧部７２ｐの軸線Ｌ周りの位相と、後筒１２の被当接部１２ａの位相とが一致する（図６参照）。
【００４２】
そして、押圧部４０に加えられている押圧力が弱められ、移動体５０、カムフォロア７０及び押圧部４０が、第１付勢手段６０及び第２付勢手段６１の付勢力により軸筒１０に対し後方への相対移動を開始する（図７参照）。前述したように、カムフォロア７０の軸線Ｌ周りの位相と、被当接部１２ａ間の間隙１２ｇの位相とが一致しているため、カムフォロア７０は、軸筒１０に対し僅かに後退した後で、外側リブ７２が被当接部１２ａに当接する。すると、被当接部１２ａの傾斜により、外側リブ７２は、カムフォロア規制部１２ｂに前方から当接するまでガイドされる。すなわち、移動体５０及びカムフォロア７０は、軸筒１０に対する更なる後方への相対移動が規制される。これにより、芯繰出ユニット２０が筆記状態にされ、軸筒１０の前端１１ａから口金３０を突出させる操作が完了する（図１参照）。
【００４３】
また、以上の説明から理解されるように、芯繰出ユニット２０が筆記状態にあるとき、第１付勢手段６０の付勢力により、保持部材２２のテーパ部２２ｔが軸筒１０の押圧部１５を後方から押圧する。更に、口金用スプリング３３の付勢力により、口金３０の小径部３２ｃが軸筒１０の軸筒側縮径部１６を後方から押圧する。
【００４４】
その後、軸筒１０の前端１１ａが押圧部４０より下方に位置する姿勢で当該押圧部４０が軸筒１０に対して前方に押し込まれる（ノックされる）。このとき、まず弾性体６２が一定の長さにわたって圧縮されることにより、弾性体６２による付勢力が口金用スプリング３３の付勢力と釣り合う。この状態から更に押圧部４０が軸筒１０に対して前方に押し込まれると、弾性体６２及び口金用スプリング３３が共に圧縮されつつ、チャックユニット２８がチャック支持ユニット２７に対して前進する。この前進の過程で、締めリング２５がチャック２４から外れ、当該チャック２４が開放される。この結果、チャック２４から筆記芯２１が所定の長さだけ前方に繰り出される（図８参照）。その後、押圧部４０に加えられていた力が弱められ、上述した筆記芯の送り出しの動作を逆順にたどって、押圧部４０が初期位置に復帰される。
【００４５】
そして、使用者によって軸筒１０が把持され、紙面に対して筆記芯２１を当接させつつ軸筒１０を所望に移動させることによって、筆記が行われる。筆記芯２１が摩耗した際には、上述したように押圧部４０を前方に押圧操作することによって、再び筆記芯２１を繰り出せばよい。
【００４６】
次に、シャープペンシル１００の筆記時の作用について説明する。図９Ａは、筆記芯２１に強い筆圧が加えられていないときの図１のシャープペンシル１００の前方部分を示す概略縦断面図であり、図９Ｂは、筆記芯２１に強い筆圧が加えられているときの図１のシャープペンシル１００の前方部分を示す概略縦断面図である。図９Ａに示すように、筆記の際、軸筒１０は、軸線方向ｄａが紙面Ｐに対して鋭角をなすように把持されることが一般的である。このため、筆記時に、筆記芯２１には、軸筒１０の軸線方向ｄａに垂直な成分（軸筒１０の径方向の成分）と当該軸線方向ｄａの成分とを含む力が作用する。本実施の形態のシャープペンシル１００は、筆記時に筆記芯２１に強い筆圧が加えられた際に、次のようにして筆圧の軸線方向ｄａに垂直な成分と軸線方向ｄａの成分とをそれぞれ吸収し、口金３０から突出した筆記芯２１の折損を低減させる。
【００４７】
すなわち、筆記芯２１に強い筆圧が作用すると、筆圧の軸線方向ｄａに垂直な成分によって、筆記芯２１及び口金３０を介して保持部材２２のテーパ部２２ｔと軸筒１０の押圧部１５との間に強い押圧力が作用する。すると、保持部材２２のテーパ部２２ｔが前方に向かって先細りとなっていることにより、図９Ｂに示すように、芯繰出ユニット２０は、その前方が軸線Ｌに対し傾動しながら、第１付勢手段６０を圧縮しつつ軸筒１０に対し後方に相対移動する。
【００４８】
ところで、口金３０は、口金用スプリング３３によって芯繰出ユニット２０に対し前方に付勢されている。この付勢力により、口金３０は、芯繰出ユニット２０の軸筒１０に対する後方への相対移動量に応じて、当該芯繰出ユニット２０に対し前方に相対移動する。すなわち、芯繰出ユニット２０が軸筒１０に対し後方に相対移動しても、口金３０は、軸筒１０に対し軸線方向ｄａには相対移動しない。この結果、口金３０の前端から突出する筆記芯２１の長さが減少する。
【００４９】
これと同時に、筆圧の軸線方向ｄａの成分によって、筆記芯２１が後方に押圧される。この筆圧の軸線方向ｄａの成分が第１付勢手段６０の付勢力を超えている場合、芯繰出ユニット２０は、第１付勢手段６０を更に圧縮させながら軸筒１０に対し後方に相対移動する。すなわち、口金３０の前端から突出する筆記芯２１の長さが一層減少され、筆記芯２１の折損がより効果的に回避される。
【００５０】
そして、筆記芯２１に加えられている筆圧が弱められ、第１付勢手段６０の付勢力によって、芯繰出ユニット２０が軸筒１０に対して前方に押し戻される。これにより、図９Ａに示す状態が復元される。芯繰出ユニット２０が軸筒１０に対して後退する際には、弾性体６２が圧縮されることなくスライドカム４２と共に後退する。
【００５１】
筆記が終了すると、次のようにして芯繰出ユニット２０が非筆記状態にされ、口金３０が軸筒１０内に没入される。すなわち、軸筒１０に対し押圧部４０が前方に押し込まれる。これにより、押圧部４０のスライドカム４２及び移動体５０が、第２付勢手段６１を圧縮させつつ軸筒１０に対し前方に相対移動する。この相対移動により、カムフォロア７０の外側リブ７２が内側リブ１２ｒ間の間隙１２ｇから前方に外れる。このことにより、カムフォロア７０は、軸筒１０に対しその軸線Ｌ周りに相対回転することが再び許容される。外側リブ７２が内側リブ１２ｒ間の間隙１２ｇから前方に外れる際、スライドカム４２のカム側押圧部４２ｐによってカムフォロア７０が軸筒１０の軸線Ｌ周りに相対回転され、軸線Ｌに関し、当該カムフォロア７０の外側リブ７２の位相と内側リブ１２ｒ間の間隙１２ｇの位相とが、一致する。
【００５２】
そして、押圧部４０に加えられている押圧力が弱められ、移動体５０、カムフォロア７０及び押圧部４０が、第１付勢手段６０及び第２付勢手段６１の付勢力により、軸筒１０に対する後方への相対移動を開始する。このとき、カムフォロア７０の外側リブ７２が内側リブ１２ｒ間の間隙１２ｇ内に進入することができるため、芯繰出ユニット２０が非筆記状態になるまで、カムフォロア７０及び移動体５０が軸筒１０に対し後方に相対移動することが許容される。このとき、第２付勢手段６１の付勢力で移動体５０が後方へ移動され、それに伴いコネクタ２９及び芯パイプ２３が後方へ移動する。そして、操作体規制部１２ｃによって押圧部４０の軸筒１０に対する後退が規制され、その後、操作体（押圧部４０）と芯パイプ２３との間で弾性体６２が圧縮される。このように、芯繰出ユニット２０を筆記状態にする際の動作が逆順で行われることにより、口金３０が軸筒１０内に没入した初期状態（図２参照）が復元される。
【００５３】
口金３０が軸筒１０内に没入される際、口金用スプリング３３は、次第に伸長し、チャックユニット２８に対し口金３０を前方に相対移動させる。このため、筆記が終了した際に口金３０の前端から筆記芯２１がある程度突出していたとしても、この相対移動により、筆記芯２１の当該突出している部分の少なくとも一部が口金３０内に没入される。このことにより、芯繰出ユニット２０が非筆記状態にあるとき、筆記芯２１が確実に保護される。そして、口金３０が再び軸筒１０の前端１１ａから露出される際には、前述したようにチャックユニット２８に対し口金３０が後方に相対移動されるため、筆記芯２１の前端が再び突出し、押圧部４０を押圧操作することなく、筆記が再開され得る。
【００５４】
更に、本実施の形態によるシャープペンシル１００は、口金３０が軸筒１０内に没入している際に、筆記芯２１の繰り出しが規制される。すなわち、前述したように、シャープペンシル１００は、芯繰出ユニット２０が非筆記状態にあるとき、移動体５０の膨出部５２にチャックユニット２８の当接部２９ｐが後方から当接している。このため、押圧部４０を軸筒１０に対し前方に相対移動させると、チャックユニット２８と共に移動体５０が軸筒１０に対し前方に相対移動する。この際、移動体５０に伴って第１付勢手段６０及びチャック支持ユニット２７も軸筒１０に対し前方に相対移動される。すなわち、チャックユニット２８とチャック支持ユニット２７とが同時に軸筒１０に対し前方に相対移動する。結局、芯繰出ユニット２０が非筆記状態にあるとき、チャックユニット２８のチャック支持ユニット２７に対する前方への相対移動が規制されるため、押圧部４０の押圧操作が行われても、筆記芯２１は繰り出されない。
【００５５】
ところで、軸筒１０及び口金３０に対し筆記芯２１が後退することによって筆圧を吸収するタイプの従来のシャープペンシル（不図示）では、筆記状態におけるノック操作の操作性（ストローク量）に鑑みて、芯パイプ２３と操作体４０との間の間隙が僅かであるように構成されている。このため、次の理由により、押圧部４０を軸筒１０に対し前方に押圧することのみによっては、芯繰出ユニット２０を非筆記状態から筆記状態に切り替えることができなかった。すなわち、操作体４０を軸筒１０に対し前方に押し込むと、移動体５０により第２付勢手段６１が圧縮されつつ、口金３０、操作体４０、カムフォロア７０、移動体５０及び芯繰出ユニット２０が同時に軸筒１０に対し前方に相対移動する。この相対移動の過程において、まず口金３０が軸筒１０の軸筒側縮径部１６に当接し軸筒１０に対する更なる前方への相対移動が規制される。この状態から操作体４０を軸筒１０に対し更に前方に押し込むと、口金用スプリング３３が圧縮され、保持部材２２が軸筒１０の押圧部１５に当接し当該保持部材２２の軸筒１０に対する更なる前方への相対移動が規制される。
【００５６】
そして、操作体４０を軸筒１０に対し更に前方に押し込むと、第１付勢手段６０及び第２付勢手段６１が圧縮され、移動体５０及びチャックユニット２８が軸筒１０に対し更に前方に相対移動する。この相対移動の際、チャック２４がチャック支持ユニット２７に対し相対的に前進するが、当該チャック２４は、チャック支持ユニット２７に後方から当接することにより当該チャック支持ユニット２７に対する更なる前方への相対移動が規制される。換言すれば、チャックユニット２８及び操作体４０の軸筒１０に対する更なる相対移動が規制される。このとき、操作体４０は、所定位置Ｘよりも後方の位置に位置付けられる。したがって、操作体４０を軸筒１０に対し前方に押し込むことによっては操作体４０が軸筒１０の所定位置Ｘまで移動されないため、芯繰出ユニット２０を非筆記状態から筆記状態に切り替わらない。このことは、芯繰出ユニット２０を筆記状態から非筆記状態に切り替える場合においても同様である。
【００５７】
しかしながら、以上のような本実施の形態によれば、芯繰出ユニット２０と押圧部４０との間に、より具体的には押圧部４０と芯パイプ２３との間に、弾性体６２を配置したことにより、当該弾性体６２が圧縮変形されることで押圧部４０が軸筒１０に対し所定位置Ｘ（図１参照）よりも前方まで移動することが許容される。更に、芯繰出ユニット２０が筆記状態にあるとき、弾性体６２を介して押圧部４０が芯パイプ２３（チャックユニット２８）をチャック支持ユニット２７に対して前方に相対移動させることができる。結局、本実施の形態によれば、芯繰出ユニット２０の出没操作と芯繰出ユニット２０からの筆記芯２１の送り出し操作（ノック操作）とを単一の操作体（押圧部４０）によって行い得るシャープペンシルを提供することができる。
【００５８】
また、芯繰出ユニット２０は、チャック支持ユニット２７に対しチャックユニット２８を所定の付勢力で後方に付勢するリターンスプリング２６を更に有している。そして、弾性体６２は、押圧部４０が軸筒１０に対して所定量を超えて前方に押し込まれることにより、リターンスプリング２６の所定の付勢力を上回る付勢力でチャックユニット２８を後方から付勢する。このため、軸筒１０に対して押圧部４０を前方にある程度押し込むことにより、芯繰出ユニット２０から筆記芯２１を安定的に送り出すことができる。
【００５９】
以上のシャープペンシル１００は、芯繰出ユニット２０と口金３０との間に圧縮状態で配置された弾性体である口金用スプリング３３を有し、芯繰出ユニット２０が筆記状態にあるとき、口金３０が軸筒１０の軸筒側縮径部１６を後方から押圧する。このため、筆圧によって、筆記芯２１を含む芯繰出ユニット２０が軸筒１０に対し後方に相対移動されても、口金３０が軸筒１０に対し軸線方向ｄａに相対移動することが無い。これにより、筆記芯２１に強い筆圧が作用した際に、口金３０の前端から突出する筆記芯２１の長さが減少され、筆記芯２１の折損が効果的に低減され得る。
【００６０】
また、シャープペンシル１００は、筆圧の軸筒１０の径方向成分によって、軸筒１０が芯繰出ユニット２０を当該軸筒１０に対し後方に相対移動させる。このため、本実施の形態によれば、筆圧の軸筒１０の径方向成分によっても口金３０の前端から突出する筆記芯２１の長さが減少され、筆記芯２１の折損がより効果的に低減され得る。
【符号の説明】
【００６１】
１０  軸筒
１１  前筒
１１ａ  前端
１２  後筒
１２ａ  被当接部
１２ｂ  カムフォロア規制部
１２ｃ  操作体規制部
１２ｇ  間隙
１２ｒ  内側リブ
１３  第１受け部
１５  押圧部
１６  軸筒側縮径部
２０  芯繰出ユニット
２１  筆記芯
２２  保持部材
２２ｆ  絞り部
２２ｔ  テーパ部
２３  芯パイプ
２４  チャック
２５  リング
２６  リターンスプリング
２７  チャック支持ユニット
２７ａ  第２受け部
２７ｐ  外筒
２７ｓ  縮径部
２８  チャックユニット
２９  コネクタ
２９ｐ  当接部
３０  口金
３０ａ  開口部
３１  ガイドパイプ
３２  スリーブ部
３２ｃ  小径部
３２ｄ  拡径部
３３  口金用スプリング
４０  押圧部
４１  カバー
４２  スライドカム
４２ｍ  谷部
４２ｐ  カム側押圧部
４２ｕ  隆起部
５０  移動体
５１  フランジ部
５２  膨出部
６０  第１付勢手段
６１  第２付勢手段
６２  弾性体
７０  カムフォロア
７１  カムフォロア本体
７２  外側リブ
７２ｐ  被押圧部
８０  消しゴム
１００  シャープペンシル
【図１】
2019188772.tif 000003
【図２】
2019188772.tif 000004
【図３】
2019188772.tif 000005
【図４】
2019188772.tif 000006
【図５】
2019188772.tif 000007
【図６】
2019188772.tif 000008
【図７】
2019188772.tif 000009
【図８】
2019188772.tif 000010
【図９Ａ】
2019188772.tif 000011
【図９Ｂ】
2019188772.tif 000012